【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
静電潜像が形成される回転自在の像担持体と、該像担持体に接触して帯電する帯電手段と、前記帯電手段を前記像担持体から離間する離間部材と、を有するカートリッジを装着可能な画像形成装置であって、
前記カートリッジ装着後の前記像担持体の回転による前記離間部材の移動によって、前記帯電手段は前記像担持体と当接するように構成されており、
前記帯電手段への電圧印加により前記帯電手段から前記像担持体へ流れる電流を検知する検知手段と、
前記カートリッジが装着された際の前記検知手段の検知結果に基づいて、装着された前記カートリッジの新旧を判断する判断手段と、
を有することを特徴とする画像形成装置。
【請求項２】
前記判断手段は、前記像担持体が回転する前に、前記検知手段が検知した電流が第一の電流値以上の場合は、前記カートリッジは使用品であると判断することを特徴とする請求項１に記載の画像形成装置。
【請求項３】
前記判断手段は、前記像担持体が回転する前に、前記検知手段が検知した電流が前記第一の電流値よりも小さくて且つ第二の電流値以上の場合は、前記カートリッジは新品であると判断することを特徴とする請求項２に記載の画像形成装置。
【請求項４】
前記判断手段は、前記像担持体が回転する前に、前記検知手段が検知した電流が前記第二の電流値よりも小さい場合は、前記カートリッジが画像形成装置に装着されていないと判断することを特徴とする請求項３に記載の画像形成装置。
【請求項５】
装着される前記カートリッジの使用量を記憶する記憶手段を有し、
前記判断手段により前記カートリッジが新品であると判断した場合は、前記記憶手段に記憶された前記使用量をリセットすることを特徴とする請求項３に記載の画像形成装置。
【請求項６】
装着される前記カートリッジのイニシャライズ動作を実行する実行手段を有し、
前記判断手段により前記カートリッジが新品であると判断した場合は、前記実行手段により前記カートリッジのイニシャライズ動作を実行することを特徴とする請求項３または請求項５に記載の画像形成装置。
【請求項７】
前記判断手段は、前記像担持体が回転を開始してから、前記検知手段が検知する電流が所定電流値以上になるタイミングに基づいて、前記カートリッジの新旧を判断することを特徴とする請求項１に記載の画像形成装置。
【請求項８】
前記判断手段は、前記所定電流値以上になるタイミングが、予め設定された第一のタイミングよりも早い場合は、前記カートリッジが使用品であると判断することを特徴とする請求項７に記載の画像形成装置。
【請求項９】
前記判断手段は、前記所定電流値以上になるタイミングが、予め設定された前記第一のタイミングよりも遅い場合は、前記カートリッジが新品であると判断することを特徴とする請求項８に記載の画像形成装置。
【請求項１０】
前記判断手段は、前記第一のタイミングよりも遅い所定時間を経過しても前記所定電流値に達しない場合は、前記カートリッジが装着されていないと判断することを特徴とする請求項９に記載の画像形成装置。
【請求項１１】
静電潜像が形成される回転自在の像担持体と、該像担持体に接触して帯電する帯電手段と、前記帯電手段を前記像担持体から離間する離間部材と、を有するカートリッジを装着可能な画像形成装置であって、
前記カートリッジ装着後の前記像担持体の回転による前記離間部材の移動によって、前記帯電手段は前記像担持体と当接するように構成されており、
前記像担持体の表面に形成されたトナー像を転写材に転写する転写手段と、
前記帯電手段及び前記転写手段に印加される電圧により、前記像担持体へ流れる電流を検知する検知手段と、
前記カートリッジが装着された際の前記検知手段の検知結果に基づいて、装着された前記カートリッジの新旧を判断する判断手段と、
を有することを特徴とする画像形成装置。
【請求項１２】
静電潜像が形成される回転自在の像担持体と、該像担持体に接触して帯電する帯電手段と、
前記帯電手段を前記像担持体から離間する離間部材と、を有するカートリッジを装着可能な画像形成装置であって、
前記帯電手段への電圧印加により前記帯電手段から前記像担持体に流れる電流を検知する検知手段を有し、
前記カートリッジ装着後の前記像担持体の回転による前記離間部材の移動によって、前記帯電手段は前記像担持体と当接するように構成され、
前記カートリッジが装着された際の前記検知手段の検知結果に基づいて、装着される前記カートリッジの使用量に関する情報をリセットすることを特徴とする画像形成装置。
【請求項１３】
前記カートリッジの使用量に関する情報は、装着された前記カートリッジを通過した記録媒体の枚数であることを特徴とする請求項１２に記載の画像形成装置。
【請求項１４】
前記カートリッジの使用量に関する情報は、装着された前記カートリッジの前記像担持体の回転時間であることを特徴とする請求項１２に記載の画像形成装置。
【請求項１５】
前記カートリッジが装着されてから前記像担持体が回転する前に、前記検知手段が検知した検知結果に基づいて、装着される前記カートリッジの使用量に関する情報をリセットすることを特徴とする請求項１２乃至１４のいずれか１項に記載の画像形成装置。
【請求項１６】
前記カートリッジが装着された後に前記像担持体が回転を開始してから、前記検知手段が検知する電流が所定電流値以上になるタイミングに基づいて、装着される前記カートリッジの使用量に関する情報をリセットすることを特徴とする請求項１２乃至１４のいずれか１項に記載の画像形成装置。
【手続補正２】
【補正対象書類名】明細書
【補正対象項目名】０００９
【補正方法】変更
【補正の内容】
【０００９】
本発明は前記課題を解決するものであり、その目的とするところは、装着されるカートリッジの状態を正確に判断し、装着されるカートリッジに対応した動作を実施することができる画像形成装置を提供するものである。
【手続補正３】
【補正対象書類名】明細書
【補正対象項目名】００１０
【補正方法】変更
【補正の内容】
【００１０】
前記目的を達成するための本発明に係る画像形成装置の代表的な構成は、静電潜像が形成される回転自在の像担持体と、該像担持体に接触して帯電する帯電手段と、前記帯電手段を前記像担持体から離間する離間部材と、を有するカートリッジを装着可能な画像形成装置であって、前記カートリッジ装着後の前記像担持体の回転による前記離間部材の移動によって、前記帯電手段は前記像担持体と当接するように構成されており、前記帯電手段への電圧印加により前記帯電手段から前記像担持体へ流れる電流を検知する検知手段と、前記カートリッジが装着された際の前記検知手段の検知結果に基づいて、装着された前記カートリッジの新旧を判断する判断手段と、を有することを特徴とする。
【手続補正４】
【補正対象書類名】明細書
【補正対象項目名】００１１
【補正方法】変更
【補正の内容】
【００１１】
本発明によれば、装着されるカートリッジの状態を判断して、装着されるカートリッジに対応した動作を実施することができる。
【手続補正５】
【補正対象書類名】明細書
【補正対象項目名】０２０６
【補正方法】変更
【補正の内容】
【０２０６】
即ち、帰還電流検知回路２により抵抗520に流れる帰還電流Ｉの検知を開始する。その時刻から該抵抗520に流れる帰還電流Ｉが図12に示す第三の電圧値Ｖｓ３が該抵抗520の両端に発生する際に該抵抗520に流れる第三の電流値Ｉｓ３以上（第三の電流値以上）になる。それまでの経過時間Ｔｂ（タイミング）が予め設定された第一のタイミングとなる閾値時間Ｔｓ１よりも早く検知された（短い）場合には、コントローラ600によりプロセスカートリッジ200が使用開始後（旧品）であると判断する。
【手続補正６】
【補正対象書類名】明細書
【補正対象項目名】０２０７
【補正方法】変更
【補正の内容】
【０２０７】
また、感光ドラム100の回転駆動動作と同時に（感光ドラム100の回転に合わせて）帯電ローラ700に帯電バイアス電圧Ｖｔを印加する。そして、帰還電流検知回路２により抵抗520に流れる帰還電流Ｉの検知を開始してから該抵抗520に流れる帰還電流Ｉが第三の電流値Ｉｓ３以上になるタイミングがある。そのタイミングが予め設定された第一のタイミングとなる閾値時間Ｔｓ１よりも遅く検知された場合は、コントローラ600によりプロセスカートリッジ200が未使用（新品）であると判断する。